【事件の表示】
　平成１１年特許願第３２８６５７号「有機ＥＬ駆動回路」拒絶査定不服審判事件〔平成１３年　５月２５日出願公開、特開２００１−１４３８６７〕について、次のとおり審決する。
【結　論】
　本件審判の請求は、成り立たない。
【理　由】
１．手続の経緯 
　本願は、平成１１年１１月１８日の出願であって、平成１５年１０月１０日付けで拒絶査定がなされ、平成１５年１１月１３日付けで審判請求がなされたものである。
　
２．本願発明
　本願の請求項１に係る発明は、明細書及び図面の記載からみて、特許請求の範囲の請求項１に記載された事項により特定される以下のとおりのものと認める。（以下、「本願発明」という。）
「マルチカラー発光を行う複数の有機ＥＬ素子を有する有機ＥＬ装置の駆動回路において、前記有機ＥＬ素子の発光色毎に直流電源電圧供給回路を設けて前記発光色毎に異なった電源電圧を供給することを特徴とする有機ＥＬ駆動回路。」
　
３．引用刊行物に記載された発明
　本願出願前に頒布され、原査定の拒絶の理由に引用された特開平１１−３０５７２９号公報（平成１１年１１月５日出願公開、以下、「引用刊行物」という。）には、「カラー表示装置」の発明に関して、以下の事項が記載されている。
＜記載事項１＞
「【０００６】図２ないし図４は、このような有機ＥＬ素子の発光特性（Ｖ−Ｉ−Ｌ特性）を示したものである。これによれば、発光閾値を超える駆動電圧を有機ＥＬ素子に印加すれば当該駆動電圧に応じた電流に比例した発光輝度を呈し、印加される駆動電圧が発光閾値以下であれば駆動電流が流れず発光輝度もゼロに等しいままであることが分かる。
【０００７】かかる有機ＥＬ素子を用いたカラーパネルの駆動方法としては、単純マトリクス駆動方式が適用可能であることが知られており、さらに本願と同一の出願人による特開平９−２３２０７４号公報には、走査線を切り換える直前に格子状に配された各ＥＬ素子の蓄積電荷を放出させるリセット動作を行う駆動法（以下、リセット駆動法と呼ぶ）が開示されている。
」（段落【０００６】〜【０００７】）
＜記載事項２＞
「【００２６】しかしながら、ＲＧＢ３つのＥＬ素子は、それぞれ固有の発光特性を持つものであり、より詳しくは、先の図３及び図４に示したグラフにおいてその特性曲線の立ち上がり閾値が各々異なるものである。故に、図５ないし図８における赤用ＥＬ素子Ｅ2,2 及び緑用ＥＬ素子Ｅ3,2 に走査切換直後の状態において同一の逆バイアス電圧を印加すると、一方は瞬時充電量が適正であっても他方は不適正であったり、一方は瞬時充電量が足りない反面他方は過剰であったりするといった状態になってしまう。こうなると、ＲＧＢで同時に瞬時輝度の階調制御上のリニアリティを保つことができなくなる。」（段落【００２６】）
＜記載事項３＞
「【００３５】
【発明が解決しようとする課題】本発明は、上述した点に鑑みてなされたものであり、その目的とするところは、Ｒ，Ｇ，Ｂの発光素子各々につき発光輝度の階調を線形に保つことのできるカラー表示装置及びカラー表示方法を提供することにある。」（段落【００２６】）
＜記載事項４＞
「【００４５】
【発明の実施の形態】以下、本発明の実施の形態を図面に基づいて詳細に説明する。図１２は、本発明の一実施例によるカラー表示装置の概略的な構成を示している。図１２において、基本的に図５ないし図８の構成と異なる点は、走査線となりうる陰極線をＲＧＢ各々につき独立させ、これに接続するための逆バイアス電圧源もＲＧＢ各々につき独立させる点である。
【００４６】さらに本実施例においては、ドライブ線（陽極線）もＲＧＢ各々につき独立させ、これに接続する駆動源（定電流源）もＲＧＢ各々につき独立させている。詳述すると、第２電極線である陽極線ＡR1，ＡG1，ＡB1，ＡR2，ＡG2，ＡB2，…，ＡRn，ＡGn，ＡBnと第１電極線である陰極線ＢR1，ＢG1，ＢB1，ＢR2，ＢG2，ＢB2，…，ＢRm，ＢGm，ＢBmとは、各ＥＬ素子の一方の電極（図１の等価回路におけるダイオード成分Ｅの陽極とみなされる側の端子）と他方の電極（同等価回路におけるダイオード成分Ｅの陰極とみなされる側の端子）とがそれぞれ接続し易い形態で、例えば互いに直交するように配列される。
【００４７】陽極線ＡR1，ＡR2，…，ＡRnと陰極線ＢR1，ＢR2，…，ＢRmは、赤色（Ｒ）の発光をなす有機ＥＬ素子Ｒ1,1 ，Ｒ2,1 ，…，Ｒn,m を専ら接続するためのマトリクスを形成し、陽極線ＡG1，ＡG2，…，ＡGnと陰極線ＢG1，ＢG2，…，ＢGmは、緑色（Ｇ）の発光をなす有機ＥＬ素子Ｇ1,1 ，Ｇ2,1 ，…，Ｇn,m を専ら接続するためのマトリクスを形成し、陽極線ＡB1，ＡB2，…，ＡBnと陰極線ＢB1，ＢB2，…，ＢBmは、青色（Ｂ）の発光をなす有機ＥＬ素子Ｂ1,1 ，Ｂ2,1 ，…，Ｂn,m のみを接続するためのマトリクスを形成する。有機ＥＬ素子Ｒ1,1 〜Ｒn,mは第１の発光素子に、有機ＥＬ素子Ｇ1,1 〜Ｇn,m は第２の発光素子に、有機ＥＬ素子Ｂ1,1 〜Ｂn,m は第３の発光素子にそれぞれ相当する。」（段落【００４５】〜【００４７】）
＜記載事項５＞
「【００４９】より詳しくは、陰極線ＢR1，ＢR2，…，ＢRmに対応する走査スイッチ１Ｒ1 〜１Ｒm が、赤色発光ＥＬ素子Ｒ1,1 ，Ｒ2,1 ，…，Ｒn,m に適正な逆バイアス電圧ＶBR 及びアース電位（０Ｖ）のうちのいずれか一方を、当該対応する陰極線に設定し、陰極線ＢG1，ＢG2，…，ＢGmに対応する走査スイッチ１Ｇ1 〜１Ｇmが、緑色発光ＥＬ素子Ｇ1,1 ，Ｇ2,1 ，…，Ｇn,m に適正な逆バイアス電圧ＶBG及びアース電位（０Ｖ）のうちのいずれか一方を、当該対応する陰極線に設定する。また、陰極線ＢB1，ＢB2，…，ＢBmに対応する走査スイッチ１Ｂ1 〜１Ｂm が、青色発光ＥＬ素子Ｂ1,1 ，Ｂ2,1 ，…，Ｂn,m に適正な逆バイアス電圧ＶBB 及びアース電位（０Ｖ）のうちのいずれか一方を、当該対応する陰極線に設定する。」（段落【００４９】）
＜記載事項６＞
「【００５０】陽極ドライブ回路２は、各陽極線を通じて駆動電流を各ＥＬ素子に個々に供給する機能を有するものであるが、ＲＧＢ各々について駆動電流の値を設定可能なようにしている。より詳しくは、陽極線ＡR1，ＡR2，…，ＡRnに対応して電流源２Ｒ1 〜２Ｒnが設けられ、それらの出力電流がドライブスイッチ６Ｒ1 〜６nを介して個々に陽極線ＡR1〜ＡRnに流れるように構成される。また、陽極線ＡG1，ＡG2，…，ＡGnに対応して電流源２Ｇ1 〜２Ｇn が設けられ、それらの出力電流がドライブスイッチ６Ｇ1 〜６Ｇnを介して個々に陽極線ＡG1〜ＡGnに流れるように構成される。さらに陽極線ＡB1，ＡB2，…，ＡBnに対応して電流源２Ｂ1 〜２Ｂn が設けられ、それらの出力電流がドライブスイッチ６Ｂ1 〜６Ｂnを介して個々に陽極線ＡB1〜ＡBnに流れるように構成される。」（段落【００５０】）
＜記載事項７＞
「【００５２】陰極線走査回路１０、陽極ドライブ回路２０及び陽極リセット回路３０の各々は、発光制御回路４０によって制御される。発光制御回路４０は、図示せぬ画像データ発生系から供給された画像データに応じて当該画像データが担う画像を表示させるべく各回路を制御するが、ＲＧＢそれぞれに対して独立した発光をなさしめる点で、先の図５ないし図８に記載のものとは異なる。」（段落【００５２】）
＜記載事項８＞
「【００５４】このように、走査回路１０においては、水平走査期間毎に隣接するＲＧＢ３つの陰極線の組が順次アース電位に切り換えられる線順次走査の制御がなされる。アース電位に設定された陰極線は、その陰極線に接続されたＥＬ素子を発光可能とする走査線として機能することとなる。陽極ドライブ回路２０は、かかる走査線に対しての発光制御を行う。発光制御回路４０は、画像データが示す画素情報に従って当該走査線に接続されているＥＬ素子のどれをどのタイミングでどの程度の時間に亘って発光させるかについてを示すドライブ制御信号（駆動パルス）を発生し、陽極ドライブ回路２０に供給する。陽極ドライブ回路２０は、この制御信号に応じて、ドライブスイッチ６Ｒ1 〜６Ｂn をオンオフ制御し、陽極線ＡR1 〜ＡBnを通じて画素情報に応じた該当ＥＬ素子への駆動電流の供給をなす。これにより、駆動電流の供給されたＥＬ素子は、当該画素情報に応じた発光をなすこととなる。」（段落【００５４】）
＜記載事項９＞
「【００５９】この点につき詳述すると、本実施例によれば、先の図９に示したような多段階の階調制御において実際にＥＬ素子に印加される電圧波形は、図１３のように表すことができる。図１３において、実線は赤色発光のＥＬ素子に印加される電圧の波形を示し、一点鎖線は緑色発光の、点線は青色発光のＥＬ素子に印加される電圧の波形を示している。
【００６０】この図から分かるように、走査回路１０において、赤色発光専用に設けられた駆動源によって逆バイアス電圧ＶBRがＥＬ素子の赤色発光に必要な順方向駆動電圧ＶDRと等しく設定されるので、発光されるべき赤色のＥＬ素子（Ｒ1,1 ，Ｒ2,1 ，…，Ｒn,m ）への充電に不足も過多も生じることなく、ドライブ回路２０から後続して供給される駆動電流により印加電圧が極端に変動することがない。そして駆動電圧ＶDRに達した後は、駆動パルスが低レベルに立ち下がるまで安定した一定値の電圧がＥＬ素子に印加されることとなる。
【００６１】また、緑色発光や青色発光についても同様に、逆バイアス電圧ＶBG，ＶBBがＥＬ素子の緑色発光，青色発光に必要な順方向駆動電圧ＶDG，ＶDBと等しく設定されるので、発光されるべきＥＬ素子への充電に不足も過多も生じることなく、ドライブ回路２０から後続して供給される駆動電流により印加電圧が極端に変動することがない。そして駆動電圧ＶDG，ＶDBに達した後は、駆動パルスが低レベルに立ち下がるまで安定した一定値の電圧がＥＬ素子に印加されることとなる。」（段落【００５９】〜【００６１】）
　
　したがって、上記記載事項１〜９及び図３、４、１２、１３に基づけば、引用刊行物には、以下の事項が記載されている。
１．赤色（Ｒ）、緑色（Ｇ）、及び青色（Ｂ）のそれぞれの発光をなす有機ＥＬ素子Ｒ1,1〜Ｒn,m 、有機ＥＬ素子Ｇ1,1，〜Ｇn,m、及び有機ＥＬ素子Ｂ1,1，〜Ｂn,m （記載事項４）
２．有機ＥＬ素子を有するカラーパネル（記載事項１）
３．駆動回路、又は有機ＥＬ駆動回路（陰極線走査回路１０、陽極ドライブ回路２０及び陽極リセット回路３０、及び発光制御回路４０からなる回路は、各有機ＥＬ素子を駆動させるための回路であるので、上記回路は、「駆動回路」又は「有機ＥＬ駆動回路」と表現できる。）（記載事項７）
４．複数の有機ＥＬ素子の発色毎に、直流の定電流源とドライブスイッチを備えた回路、及び逆バイアス電源と、該逆バイアス電源とアースとを選択的に接続する走査スイッチを備えた陰極線走査回路とを設けて前記発光色毎に直流の定電流を供給すること（記載事項４、５、図１３）
　
　よって、上記記載事項１〜９及び図３、４、１２、１３に基づけば、引用刊行物には、
「赤色（Ｒ）、緑色（Ｇ）、及び青色（Ｂ）のそれぞれの発光をなす有機ＥＬ素子Ｒ1,1〜Ｒn,m 、有機ＥＬ素子Ｇ1,1，〜Ｇn,m、及び有機ＥＬ素子Ｂ1,1，〜Ｂn,mを有するカラーパネルの駆動回路において、複数の有機ＥＬ素子の発色毎に、直流の定電流源とドライブスイッチを備えた回路、及び逆バイアス電源と、該逆バイアス電源とアースとを選択的に接続する走査スイッチを備えた陰極線走査回路とを設けて前記発光色毎に直流の定電流を供給することを特徴とする有機ＥＬ駆動回路」の発明（「以下、「引用発明」という。）が記載されている。
　
４．対比
　本願発明と引用発明とを比較する。
　引用発明の「赤色（Ｒ）、緑色（Ｇ）、及び青色（Ｂ）のそれぞれの発光をなす」及び「有機ＥＬ素子Ｒ1,1〜Ｒn,m 、有機ＥＬ素子Ｇ1,1 〜，Ｇn,m、及び有機ＥＬ素子Ｂ1,1〜Ｂn,m」は、本願発明の「マルチカラー発光を行う」及び「複数の有機ＥＬ素子」にそれぞれ相当する。
　また、引用発明は「直流の定電流源とドライブスイッチを備えた回路、及び逆バイアス電源と、該逆バイアス電源とアースとを選択的に接続する走査スイッチを備えた陰極線走査回路」が設けられ、本願発明は「直流電源電圧供給回路」が設けられているので、両者は、引用発明の「直流の定電流源」と本願発明の「直流電源電圧供給回路」との上位概念である直流電源が設けられている点で一致する。
　
　したがって、両者は、
「マルチカラー発光を行う複数の有機ＥＬ素子を有する有機ＥＬ装置の駆動回路において、前記有機ＥＬ素子の発光色毎に直流電源を設けたことを特徴とする有機ＥＬ駆動回路。」
の点で一致するが、以下の点で相違する。
[相違点]
　有機ＥＬ素子の発光色毎に、本願発明は、直流電源電圧供給回路を設けて前記発光色毎に異なった電源電圧を供給するのに対して、引用発明は、直流の定電流源とドライブスイッチを備えた回路、及び逆バイアス電源と、該逆バイアス電源とアースとを選択的に接続する走査スイッチを備えた陰極線走査回路とを設けて前記発光色毎に直流の定電流を供給する点。　
　
５．当審の判断
　上記相違点について検討する。
　引用刊行物の図１３には、ＥＬ素子（有機ＥＬ素子）に印加される電圧波形が発光色毎に示され、発光色毎の駆動電圧（ＶＤＲ、ＶＤＧ，ＶＤＢ）が異なっていることが記載されているので、有機ＥＬ素子の発光色毎に異なった電圧で駆動すること、即ち、本願発明のように、有機ＥＬ素子の発光色毎に異なった電源電圧を供給することが、引用刊行物に示唆されているといえる。　
　次に、有機ＥＬ素子の発光色毎に異なった電圧で駆動するために、本願発明は、有機ＥＬ素子の発光色毎に直流電源電圧供給回路を設けているので、その点について検討する。
　本願発明及び引用発明は、有機ＥＬ素子の発光色毎の輝度を均一にするため異なった電圧で駆動する点で共通するが、引用発明は、多数の有機ＥＬ素子を順次走査することまでも考慮して、上記した直流の定電流源とドライブスイッチを備えた回路及び陰極線走査回路とを有機ＥＬ素子の発光色毎に設けたので、本願発明と引用発明で、その回路構成が相違したに過ぎないということができる。
　そして、本願発明及び引用発明は、有機ＥＬ素子の発光色毎に異なった電源電圧を供給する点で同じであるが、直流電源電圧供給回路から電源電圧を供給することは引例を示すまでもなく周知であるので、引用発明の有機ＥＬ素子の発光色毎に設けられた直流の定電流源を、本願発明のような直流電源電圧供給回路とすることは、当業者ならば、引用刊行物に記載された発明に基づいて容易に発明することができたものといえる。
　
　また、本願発明の効果は、引用刊行物の記載から当業者が予測し得る範囲内のものである。
　
　したがって、本願発明は、引用刊行物に記載された発明に基づいて当業者が容易に発明することができたものであるから、特許法第２９条第２項の規定により特許を受けることができない。
　　
６．むすび
　以上のとおり、本願発明は、引用刊行物に記載された発明に基づいて当業者が容易に発明することができたものであるから、特許法第２９条第２項により特許を受けることができない。
　
　よって、結論のとおり審決する。